(57)【要約】【課題】  ユーザの嗜好データに合致する番組のみを、煩雑な操作を要求することなく、ユーザにとって見やすい番組表で呈示することができ、ユーザの嗜好に合致した番組を見逃してしまう可能性を低減すること。【解決手段】  ユーザ嗜好入力手段４１は、ユーザ嗜好データ２２を取得しデータ格納手段１１に格納する。選択手段４６は、番組データリスト２４およびユーザ嗜好データ２２に基づいて、放送時間帯が互いに重ならない複数の番組データを、複数の放送局を縦断して選択する。表示手段４７は、選択手段４６により選択された複数の番組の番組データ３３に基づいて、複数の放送局に属する複数の番組を、１列または１行の番組表として、放送時間帯に沿って所定の表示装置に表示させる。【選択図】  図２
2005294992.tif 000002
【特許請求の範囲】
【請求項１】
複数の放送局による番組についての番組表を表示させる番組表表示装置において、
ユーザ嗜好データを取得し所定の記憶手段に格納する嗜好情報取得手段と、
少なくとも放送局および放送時間帯の情報を含む番組データ並びに上記嗜好情報取得手段により取得されたユーザ嗜好データに基づいて、放送時間帯が互いに重ならない複数の番組データを、複数の放送局を縦断して選択する選択手段と、
上記選択手段により選択された上記複数の番組の番組データに基づいて、上記複数の放送局に属する上記複数の番組を、１列または１行の番組表として、放送時間帯に沿って所定の表示装置に表示させる表示手段と、
を備えることを特徴とする番組表表示装置。
【請求項２】
前記嗜好情報取得手段は、ユーザ嗜好データを、所定の最小値と最大値との間の複数の中間値のうちのユーザ入力に応じた値で取得し、
前記選択手段は、上記嗜好情報取得手段により取得されたユーザ嗜好データと前記番組データとの適合度を数値で計算し、適合度の数値の大きい番組を選択すること、
を特徴とする請求項１記載の番組表表示装置。
【請求項３】
前記嗜好情報取得手段は、視聴番組に対するユーザの期待の種別を示す複数のユーザ欲求項目に対するユーザ入力値を取得し、所定の変換式に基づいて、複数のユーザ欲求項目に対するユーザ入力値を、番組データに用意されている属性項目に対するユーザ嗜好データへ変換し、
前記選択手段は、前記嗜好情報取得手段による変換後のユーザ嗜好データと前記番組データとの適合度の高い番組を選択すること、
を特徴とする請求項１記載の番組表表示装置。
【請求項４】
前記選択手段は、
複数の放送局の複数の番組の番組データから、番組表の時間帯に属する番組データを抽出する抽出手段と、
上記抽出手段により抽出された複数の番組データの一部または全部を配列した１または複数の番組表候補データを生成する番組表候補生成手段と、
少なくとも上記番組表候補データに含まれる番組データとユーザ嗜好データとの適合度に基づいてその番組表候補データを評価する番組表候補評価手段と、
上記番組表候補評価手段による各番組表候補データの評価に基づいて、番組表候補データの１つを番組表データとする番組表決定手段と、
を有することを特徴とする請求項１記載の番組表表示装置。
【請求項５】
前記番組表候補生成手段は、前記抽出手段により抽出された番組データをユーザ嗜好データとの適合度の高い順に選択し、放送時間帯が重なった番組データを除外しつつ第１番目の番組表候補データに当てはめていき、第１番目の番組表候補データを生成することを特徴とする請求項４記載の番組表表示装置。
【請求項６】
前記番組表候補生成手段は、第１番目の番組表候補データを生成した後に、第１番目の番組表候補データの生成時に除外した番組データのうちの最も適合度の高いものを、最初に第２の番組表候補データへ当てはめ、その後、前記抽出手段により抽出された番組データをユーザ嗜好データとの適合度の高い順に選択し、放送時間帯が重なった番組データを除外しつつ第２番目の番組表候補データに当てはめていき、第２番目の番組表候補データを生成することを特徴とする請求項５記載の番組表表示装置。
【請求項７】
前記番組表候補生成手段は、第２番目の番組表候補データを生成した後に、第１番目の番組表候補データの生成時に除外した番組データのうちの第２番目に適合度の高いものを、最初に第３の番組表候補データへ当てはめ、その後、前記抽出手段により抽出された番組データをユーザ嗜好データとの適合度の高い順に選択し、放送時間帯が重なった番組データを除外しつつ第３番目の番組表候補データに当てはめていき、第３番目の番組表候補データを生成することを特徴とする請求項６記載の番組表表示装置。
【請求項８】
前記番組表候補生成手段は、所定の数の番組表候補データを生成するか、あるいは上記第１番目の番組表候補データの生成時に除外した番組データのいずれもを番組表候補データで使用するまで、繰り返し、第１番目の番組表候補データの生成時に除外した番組データのうちの次に適合度の高いものを、最初に次の番組表候補データへ当てはめ、その後、前記抽出手段により抽出された番組データをユーザ嗜好データとの適合度の高い順に選択し、放送時間帯が重なった番組データを除外しつつ当該次の番組表候補データに当てはめていき、当該次の番組表候補データを生成することを特徴とする請求項７記載の番組表表示装置。
【請求項９】
前記番組表候補評価手段は、番組表候補データに含まれる番組データとユーザ嗜好データとの適合度に加え、番組表候補データに含まれる番組データの番組ジャンルの割合に基づいて、その番組表候補データを評価することを特徴とする請求項４から請求項８のうちのいずれか１項記載の番組表表示装置。
【請求項１０】
前記番組表候補評価手段は、番組表候補データに含まれる番組データとユーザの嗜好情報との適合度に加え、番組表候補データの時間帯に対する番組の時間の占有割合に基づいて、その番組表候補データを評価することを特徴とする請求項４から請求項９のうちのいずれか１項記載の番組表表示装置。
【請求項１１】
前記選択手段は、少なくとも放送局および放送時間帯の情報を含む番組データに基づいて、第１の番組表のために、放送時間帯が互いに重ならない複数の番組データを複数の放送局を縦断して選択し、第２の番組表のために、第１の番組表のために選択した番組データを除外して、放送時間帯が互いに重ならない複数の番組データを選択し、
前記表示手段は、前記選択手段により上記第１の番組表のために選択された上記複数の番組の番組データに基づいて、上記複数の放送局に属する上記複数の番組を１列または１行で放送時間帯に沿って表示させ、上記第２の番組表のために選択された上記複数の番組の番組データに基づいて、上記第２の番組表の番組を、上記第１の番組表の放送時間帯に沿って、１列または１行で表示させること、
を特徴とする請求項１記載の番組表表示装置。
【請求項１２】
少なくとも放送局および放送時間帯の情報を含む番組データに基づいて、前記選択手段により選択されない番組のうち、ユーザの嗜好情報との適合度が高いと予想される番組を選択する予想選択手段を備え、
前記表示手段は、前記選択手段により上記複数の番組の番組データに基づいて、上記複数の放送局に属する上記複数の番組を１列または１行で放送時間帯に沿って表示させ、上記予想選択手段により選択された番組を、上記第１の番組表の放送時間帯に沿って表示させること、
を特徴とする請求項１または請求項１１記載の番組表表示装置。
【請求項１３】
複数の放送局による複数の番組の番組データから、番組表の時間帯に属する番組データを抽出する抽出手段と、
上記抽出手段により抽出された複数の番組データの一部または全部を番組データとユーザ嗜好データとの適合度に従って配列した１または複数の番組表候補データを生成する番組表候補生成手段と、
上記番組表候補データに含まれる番組データとユーザ嗜好データとの適合度、番組表候補データに含まれる各番組データの番組ジャンル、および番組表候補データの時間帯に対する番組の時間の占有割合のうちの少なくとも１つに基づいて、その番組表候補データを評価する番組表候補評価手段と、
上記番組表候補評価手段による各番組表候補データの評価に基づいて、番組表候補データの１つを番組表データとする番組表決定手段と、
を備えることを特徴とするユーザ個別番組表生成装置。
【請求項１４】
複数の放送局による番組についての番組表を表示させる番組表表示方法において、
ユーザ嗜好データを取得し所定の記憶手段に格納するステップと、
少なくとも放送局および放送時間帯の情報を含む番組データ並びに上記ユーザ嗜好データに基づいて、放送時間帯が互いに重ならない複数の番組データを、複数の放送局を縦断して選択するステップと、
選択した上記複数の番組の番組データに基づいて、上記複数の放送局に属する上記複数の番組を、１列または１行の番組表として、放送時間帯に沿って所定の表示装置に表示させるステップと、
を備えることを特徴とする番組表表示方法。
【請求項１５】
複数の放送局の複数の番組の番組データから、番組表の時間帯に属する番組データを抽出するステップと、
抽出した複数の番組データの一部または全部を番組データとユーザ嗜好データとの適合度に従って配列した１または複数の番組表候補データを生成するステップと、
生成した上記番組表候補データに含まれる番組データとユーザ嗜好データとの適合度、上記番組表候補データに含まれる各番組データの番組ジャンル、および上記番組表候補データの時間帯に対する番組の時間の占有割合の少なくとも１つに基づいて、その番組表候補データを評価するステップと、
各番組表候補データの評価に基づいて、上記番組表候補データの１つを番組表データとするステップと、
を備えることを特徴とするユーザ個別番組表生成方法。
【請求項１６】
コンピュータを、複数の放送局による番組についての番組表を表示させる番組表表示装置として機能させるコンピュータ読取可能なプログラムにおいて、
コンピュータを、
ユーザ嗜好データを取得し所定の記憶手段に格納する嗜好情報取得手段、
少なくとも放送局および放送時間帯の情報を含む番組データ並びに上記嗜好情報取得手段により取得されたユーザ嗜好データに基づいて、放送時間帯が互いに重ならない複数の番組データを複数の放送局を縦断して選択する選択手段、並びに、
上記選択手段により選択された上記複数の番組の番組データに基づいて、上記複数の放送局に属する上記複数の番組を、１列または１行の番組表として、放送時間帯に沿って所定の表示装置に表示させる表示手段、
として機能させることを特徴とするコンピュータ読取可能なプログラム。
【請求項１７】
コンピュータを、
複数の放送局の複数の番組の番組データから、番組表の時間帯に属する番組データを抽出する抽出手段、
上記抽出手段により抽出された複数の番組の一部または全部を番組データとユーザ嗜好データとの適合度に従って配列した１または複数の番組表候補データを生成する番組表候補生成手段、
上記番組表候補データに含まれる番組データとユーザ嗜好データとの適合度、並びに、上記番組表候補データに含まれる各番組データの番組ジャンル、および上記番組表候補データの時間帯に対する番組の時間の占有割合のうちの少なくとも１つに基づいて、その番組表候補データを評価する番組表候補評価手段、並びに、
上記番組表候補評価手段による各番組表候補データの評価に基づいて、上記番組表候補データの１つを番組表データとする番組表決定手段、
として機能させることを特徴とするコンピュータ読取可能なプログラム。
【発明の詳細な説明】
【技術分野】
【０００１】
本発明は、複数の放送局の放送する番組についての番組表を表示させる番組表表示装置および番組表表示方法、それらに使用可能なユーザ個別番組表生成装置およびユーザ個別番組表生成方法、並びに、それらを実現するために使用されるコンピュータ読取可能なプログラムに関するものである。
【背景技術】
【０００２】
従来の番組表表示装置としては、例えば特許文献１に記載のものがある。特許文献１に記載の装置では、縦方向を放送時間帯とし横方向を放送局（チャンネル）としたマトリクス状に、番組が表示される。
【０００３】
また、ユーザが選択した放送局（チャンネル）について、チャンネル単位で番組表を表示するサービスも提供されている（例えば非特許文献１，２参照）。
【０００４】
さらに、複数の放送局の番組中からユーザ所望の番組を検索する技術についても種々提案されている。
【０００５】
例えば特許文献２には、ある内容の番組が指定されると、番組データ内で、同一内容の番組を別の時間帯（例えば来週）においてサーチする技術が開示されている。
【０００６】
また、あるキーワードを設定しておくと、そのキーワードに関連した番組を一覧表示したり自動的に録画したりする録画装置も開発・販売されている。
【０００７】
さらに、例えば特許文献３では、視聴履歴からユーザ嗜好を学習し、ユーザ嗜好に合う番組を検索し、特許文献１と同様の番組表において色分けして表示する技術が開示されている。
【０００８】
【特許文献１】特許第２８３８８９２号公報（第４図）
【特許文献２】特許第３１３０５０１号公報（図５）
【特許文献３】特開平１１−３４５４４６号公報（図６、明細書段落００５９，００６０）
【非特許文献１】”インターネットＴＶガイド”、［online］、［ 平成１６年２月２３日検索］、インターネット<URL：http://www.tvguide.or.jp/>
【非特許文献２】”テレビ王国”、［online］、［ 平成１６年２月２３日検索］、インターネット<URL：http://www.so-net.ne.jp/tv/>
【発明の開示】
【発明が解決しようとする課題】
【０００９】
近年、放送形態の多様化によりユーザが番組を視聴可能な放送局（チャンネル）は、増大している。しかしながら、従来の番組表表示装置では、縦方向を放送時間帯とし横方向を放送局（チャンネル）としたマトリクス状に番組が表示されるため、全チャンネルの番組を放送時間帯に沿ってまとめて同一画面で表示することは困難になっている。
【００１０】
例えば、表示される文字のサイズを小さくすれば、より多くのチャンネルを含む番組表を表示することができるが、その場合、ユーザの視認性が低下してしまう。また、表示される文字のサイズを大きくした場合には、番組表が１画面で収まらず、ユーザは、番組表全体を見るために、スクロール操作などを行うことになる。
【００１１】
さらに、従来の番組検索方法を使用してヒットした番組のみを表示することも考えられるが、上述のようにチャンネルが多数存在するため、従来の番組検索方法では、多くの番組がヒットしてしまい、抽出された多くの番組から、さらに所望の番組をユーザが選択しなければならない。したがって、上記問題は多少軽減されるが、このように各時間帯について多くの番組から所望の番組を選択するにはユーザに煩雑な操作（検索操作、検索結果の閲覧操作、選択操作など）が要求される。
【００１２】
以上のような状況では、たとえ、ユーザが所望する可能性が高い未知の番組が番組表の中にあったとしてもユーザが気付かず、ユーザの嗜好に合致した番組を見逃してしまう可能性がある。
【００１３】
本発明は、上記の問題に鑑みてなされたものであり、ユーザの嗜好データに合致する番組のみを、煩雑な操作を要求することなく、ユーザにとって見やすい番組表で呈示することができ、ユーザの嗜好に合致した番組を見逃してしまう可能性を低減することができる番組表表示装置および番組表表示方法、それらに使用可能なユーザ個別番組表生成装置およびユーザ個別番組表生成方法、並びに、それらを実現するために使用されるコンピュータ読取可能なプログラムを得ることを目的とする。
【課題を解決するための手段】
【００１４】
上記の課題を解決するために、本発明では以下のようにした。
【００１５】
本発明の番組表表示装置の１つは、ユーザ嗜好データを取得し所定の記憶手段に格納する嗜好情報取得手段と、少なくとも放送局および放送時間帯の情報を含む番組データ並びに嗜好情報取得手段により取得されたユーザ嗜好データに基づいて、放送時間帯が互いに重ならない複数の番組データを、複数の放送局を縦断して選択する選択手段と、選択手段により選択された複数の番組の番組データに基づいて、複数の放送局に属する複数の番組を、１列または１行の番組表として、放送時間帯に沿って所定の表示装置に表示させる表示手段とを備える。
【００１６】
これにより、ユーザの嗜好に合った個別の番組表が１列または１行で自動的に表示される。したがって、ユーザの嗜好データに合致する番組のみを、煩雑な操作を要求することなく、ユーザにとって見やすい番組表で呈示することができ、ユーザの嗜好に合致した番組を見逃してしまう可能性を低減することができる。
【００１７】
さらに、本発明の番組表表示装置の１つは、上記発明の番組表表示装置に加え、嗜好情報取得手段および選択手段を次のようにしたものである。嗜好情報取得手段は、ユーザ嗜好データを、所定の最小値と最大値との間の複数の中間値のうちのユーザ入力に応じた値で取得する。また、選択手段は、嗜好情報取得手段により取得されたユーザ嗜好データと番組データとの適合度を数値で計算し、適合度の数値の大きい番組を選択する。
【００１８】
これにより、曖昧さのあるユーザ嗜好の度合いを番組選択に忠実に反映させることができ、よりユーザの嗜好に合った個別の番組表が１列または１行で自動的に表示される。
【００１９】
さらに、本発明の番組表表示装置の１つは、上記発明の番組表表示装置のいずれかに加え、嗜好情報取得手段および選択手段を次のようにしたものである。嗜好情報取得手段は、視聴番組に対するユーザの期待の種別を示す複数のユーザ欲求項目に対するユーザ入力値を取得し、所定の変換式に基づいて、複数のユーザ欲求項目に対するユーザ入力値を、番組データに用意されている属性項目に対するユーザ嗜好データへ変換する。また、選択手段は、嗜好情報取得手段による変換後のユーザ嗜好データと番組データとの適合度の高い番組を選択する。
【００２０】
これにより、抽象的なユーザの嗜好の度合いを定量評価可能な形態に変換して番組選択に忠実に反映させることができ、よりユーザの嗜好に合った個別の番組表が１列または１行で自動的に表示される。
【００２１】
さらに、本発明の番組表表示装置の１つは、上記発明の番組表表示装置のいずれかに加え、複数の放送局の複数の番組の番組データから、番組表の時間帯に属する番組データを抽出する抽出手段と、抽出手段により抽出された複数の番組データの一部または全部を配列した１または複数の番組表候補データを生成する番組表候補生成手段と、番組表候補データに含まれる番組データとユーザ嗜好データとの適合度に少なくとも基づいてその番組表候補データを評価する番組表候補評価手段と、番組表候補評価手段による各番組表候補データの評価に基づいて、番組表候補データの１つを番組表データとする番組表決定手段とを、選択手段に有する。
【００２２】
これにより、多くの番組データのうち、生成する番組表データに選ばれる可能性のない番組データが、番組表候補データの評価の前に除外されるため、番組表候補生成手段による番組表候補データの生成および／または番組表候補評価手段による番組表候補データの評価の際に計算の対象となる番組データを少なくすることができ、短い時間で番組表データを生成することができる。
【００２３】
さらに、本発明の番組表表示装置の１つは、上記発明の番組表表示装置のいずれかに加え、番組表候補生成手段を次のようにしたものである。番組表候補生成手段は、抽出手段により抽出された番組データをユーザ嗜好データとの適合度の高い順に選択し、放送時間帯が重なった番組データを除外しつつ第１番目の番組表候補データに当てはめていき、第１番目の番組表候補データを生成する。
【００２４】
これにより、第１番目の番組表候補データとして、ユーザ嗜好データとの適合度の高い番組データが多く含まれ番組表候補評価手段による高評価を期待できる番組表候補データが生成される。
【００２５】
さらに、本発明の番組表表示装置の１つは、上記発明の番組表表示装置に加え、さらに番組表候補生成手段を次のようにしたものである。番組表候補生成手段は、第１番目の番組表候補データを生成した後に、第１番目の番組表候補データの生成時に除外した番組データのうちの最も適合度の高いものを、最初に第２の番組表候補データへ当てはめ、その後、抽出手段により抽出された番組データをユーザ嗜好データとの適合度の高い順に選択し、放送時間帯が重なった番組データを除外しつつ第２番目の番組表候補データに当てはめていき、第２番目の番組表候補データを生成する。
【００２６】
これにより、ユーザ嗜好データとの適合度の高い番組データが多く含まれ番組表候補評価手段による高評価を期待できる番組表候補データを２つ生成することができる。
【００２７】
さらに、本発明の番組表表示装置の１つは、上記発明の番組表表示装置に加え、さらに番組表候補生成手段を次のようにしたものである。番組表候補生成手段は、第２番目の番組表候補データを生成した後に、第１番目の番組表候補データの生成時に除外した番組データのうちの第２番目に適合度の高いものを、最初に第３の番組表候補データへ当てはめ、その後、抽出手段により抽出された番組データをユーザ嗜好データとの適合度の高い順に選択し、放送時間帯が重なった番組データを除外しつつ第３番目の番組表候補データに当てはめていき、第３番目の番組表候補データを生成する。
【００２８】
これにより、ユーザ嗜好データとの適合度の高い番組データが多く含まれ番組表候補評価手段による高評価を期待できる番組表候補データを３つ生成することができる。
【００２９】
さらに、本発明の番組表表示装置の１つは、上記発明の番組表表示装置のいずれかに加え、番組表候補生成手段を次のようにしたものである。番組表候補生成手段は、所定の数の番組表候補データを生成するか、あるいは第１番目の番組表候補データの生成時に除外した番組データのいずれもを番組表候補データで使用するまで、繰り返し、第１番目の番組表候補データの生成時に除外した番組データのうちの次に適合度の高いものを、最初に次の番組表候補データへ当てはめ、その後、抽出手段により抽出された番組データをユーザ嗜好データとの適合度の高い順に選択し、放送時間帯が重なった番組データを除外しつつ当該次の番組表候補データに当てはめていき、当該次の番組表候補データを生成する。
【００３０】
これにより、ユーザ嗜好データとの適合度の高い番組データが多く含まれ番組表候補評価手段による高評価を期待できる番組表候補データを多く生成することができる。
【００３１】
さらに、本発明の番組表表示装置の１つは、上記発明の番組表表示装置のいずれかに加え、番組表候補評価手段を次のようにしたものである。番組表候補評価手段は、番組表候補データに含まれる番組データとユーザ嗜好データとの適合度に加え、番組表候補データに含まれる番組データの番組ジャンルの割合に基づいて、その番組表候補データを評価する。
【００３２】
これにより、ユーザに対してより適切な番組表を提示することができる。
【００３３】
さらに、本発明の番組表表示装置の１つは、上記発明の番組表表示装置のいずれかに加え、番組表候補評価手段を次のようにしたものである。番組表候補評価手段は、番組表候補データに含まれる番組データとユーザの嗜好情報との適合度に加え、番組表候補データの時間帯に対する番組の時間の占有割合に基づいて、その番組表候補データを評価する。
【００３４】
これにより、ユーザに対してより適切な番組表を提示することができる。
【００３５】
さらに、本発明の番組表表示装置の１つは、上記発明の番組表表示装置のいずれかに加え、選択手段および表示手段を次のようにしたものである。選択手段は、少なくとも放送局および放送時間帯の情報を含む番組データに基づいて、第１の番組表のために、放送時間帯が互いに重ならない複数の番組データを複数の放送局を縦断して選択し、第２の番組表のために、第１の番組表のために選択した番組データを除外して、放送時間帯が互いに重ならない複数の番組データを選択する。また、表示手段は、選択手段により第１の番組表のために選択された複数の番組の番組データに基づいて、複数の放送局に属する複数の番組を１列または１行で放送時間帯に沿って表示させ、第２の番組表のために選択された複数の番組の番組データに基づいて、第２の番組表の番組を、第１の番組表の放送時間帯に沿って、１列または１行で表示させる。
【００３６】
これにより、ユーザの嗜好に合った個別の第１の番組表が１列または１行で自動的に表示されるとともに、その番組表に含まれないが適合度の高い番組が第２の番組表として第１の番組表と並んで表示される。したがって、ユーザは、ある視聴時刻について、２つの番組表の番組を比較することができる。ひいては、ユーザの嗜好に合致した番組を見逃してしまう可能性を低減することができる。
【００３７】
さらに、本発明の番組表表示装置の１つは、上記発明の番組表表示装置のいずれかに加え、少なくとも放送局および放送時間帯の情報を含む番組データに基づいて、選択手段により選択されない番組のうち、ユーザの嗜好情報との適合度が高いと予想される番組を選択する予想選択手段を備える。そして、表示手段は、選択手段により複数の番組の番組データに基づいて、複数の放送局に属する複数の番組を１列または１行で放送時間帯に沿って表示させ、予想選択手段により選択された番組を、第１の番組表の放送時間帯に沿って表示させる。
【００３８】
これにより、ユーザの嗜好に合った個別の第１の番組表が１列または１行で自動的に表示されるとともに、その番組表に含まれないが適合度の高い番組が第１の番組表と並んで表示される。したがって、ユーザは、適合度が高いと予想される番組を比較対象としつつ番組を選択することができる。ひいては、ユーザの嗜好に合致した番組を見逃してしまう可能性を低減することができる。
【００３９】
本発明のユーザ個別番組表生成装置は、複数の放送局による複数の番組の番組データから、番組表の時間帯に属する番組データを抽出する抽出手段と、抽出手段により抽出された複数の番組データの一部または全部を番組データとユーザ嗜好データとの適合度に従って配列した１または複数の番組表候補データを生成する番組表候補生成手段と、番組表候補データに含まれる番組データとユーザ嗜好データとの適合度、番組表候補データに含まれる各番組データの番組ジャンル、および番組表候補データの時間帯に対する番組の時間の占有割合のうちの少なくとも１つに基づいて、その番組表候補データを評価する番組表候補評価手段と、番組表候補評価手段による各番組表候補データの評価に基づいて、番組表候補データの１つを番組表データとする番組表決定手段とを備える。
【００４０】
これにより、ユーザの嗜好に合ったユーザ個別の１列または１行の番組表のデータが自動的に生成される。したがって、この番組表データを使用することで、ユーザの嗜好データに合致する番組のみを、煩雑な操作を要求することなく、ユーザにとって見やすい番組表で呈示することができ、ユーザの嗜好に合致した番組を見逃してしまう可能性を低減することができる。
【００４１】
本発明の番組表表示方法は、ユーザ嗜好データを取得し所定の記憶手段に格納するステップと、少なくとも放送局および放送時間帯の情報を含む番組データ並びにユーザ嗜好データに基づいて、放送時間帯が互いに重ならない複数の番組データを、複数の放送局を縦断して選択するステップと、選択した複数の番組の番組データに基づいて、複数の放送局に属する複数の番組を、１列または１行の番組表として、放送時間帯に沿って所定の表示装置に表示させるステップとを備える。
【００４２】
これにより、ユーザの嗜好に合った個別の番組表が１列または１行で自動的に表示される。したがって、ユーザの嗜好データに合致する番組のみを、煩雑な操作を要求することなく、ユーザにとって見やすい番組表で呈示することができ、ユーザの嗜好に合致した番組を見逃してしまう可能性を低減することができる。
【００４３】
本発明のユーザ個別番組表生成方法は、複数の放送局の複数の番組の番組データから、番組表の時間帯に属する番組データを抽出するステップと、抽出した複数の番組データの一部または全部を番組データとユーザ嗜好データとの適合度に従って配列した１または複数の番組表候補データを生成するステップと、番組表候補データに含まれる番組データとユーザ嗜好データとの適合度、番組表候補データに含まれる各番組データの番組ジャンル、および番組表候補データの時間帯に対する番組の時間の占有割合のうちの少なくとも１つに基づいてその番組表候補データを評価するステップと、各番組表候補データの評価に基づいて、番組表候補データの１つを番組表データとするステップとを備える。
【００４４】
これにより、ユーザの嗜好に合ったユーザ個別の１列または１行の番組表のデータが自動的に生成される。したがって、この番組表データを使用することで、ユーザの嗜好データに合致する番組のみを、煩雑な操作を要求することなく、ユーザにとって見やすい番組表で呈示することができ、ユーザの嗜好に合致した番組を見逃してしまう可能性を低減することができる。
【００４５】
本発明のコンピュータ読取可能なプログラムの１つは、ユーザ嗜好データを取得し所定の記憶手段に格納する嗜好情報取得手段、少なくとも放送局および放送時間帯の情報を含む番組データ並びに嗜好情報取得手段により取得されたユーザ嗜好データに基づいて、放送時間帯が互いに重ならない複数の番組データを複数の放送局を縦断して選択する選択手段、並びに、選択手段により選択された複数の番組の番組データに基づいて、複数の放送局に属する複数の番組を、１列または１行の番組表として、放送時間帯に沿って所定の表示装置に表示させる表示手段、としてコンピュータを機能させる。
【００４６】
このプログラムを実行することにより、ユーザの嗜好に合った個別の番組表が１列または１行で自動的に表示される。したがって、ユーザの嗜好データに合致する番組のみを、煩雑な操作を要求することなく、ユーザにとって見やすい番組表で呈示することができ、ユーザの嗜好に合致した番組を見逃してしまう可能性を低減することができる。
【００４７】
本発明のコンピュータ読取可能なプログラムの１つは、複数の放送局の複数の番組の番組データから、番組表の時間帯に属する番組データを抽出する抽出手段、抽出手段により抽出された複数の番組データの一部または全部を番組データとユーザ嗜好データとの適合度に従って配列した１または複数の番組表候補データを生成する番組表候補生成手段、番組表候補データに含まれる番組データとユーザ嗜好データとの適合度、番組表候補データに含まれる各番組データの番組ジャンル、および番組表候補データの時間帯に対する番組の時間の占有割合のうちの少なくとも１つに基づいてその番組表候補データを評価する番組表候補評価手段、並びに、番組表候補評価手段による各番組表候補データの評価に基づいて、番組表候補データの１つを番組表データとする番組表決定手段、としてコンピュータを機能させる。
【００４８】
このプログラムを実行することにより、ユーザの嗜好に合ったユーザ個別の１列または１行の番組表のデータが自動的に生成される。したがって、この番組表データを使用することで、ユーザの嗜好データに合致する番組のみを、煩雑な操作を要求することなく、ユーザにとって見やすい番組表で呈示することができ、ユーザの嗜好に合致した番組を見逃してしまう可能性を低減することができる。
【発明の効果】
【００４９】
本発明によれば、ユーザの嗜好データに合致する番組のみを、煩雑な操作を要求することなく、ユーザにとって見やすい番組表で呈示することができ、ユーザの嗜好に合致した番組を見逃してしまう可能性を低減することができる番組表表示装置および番組表表示方法、それらに使用可能なユーザ個別番組表生成装置およびユーザ個別番組表生成方法、並びに、それらを実現するために使用されるコンピュータ読取可能なプログラムを得ることができる。
【発明を実施するための最良の形態】
【００５０】
以下、図に基づいて本発明の実施の形態を説明する。
【００５１】
実施の形態１．
図１は、本発明の実施の形態１に係る番組表表示装置のハードウェア構成を示すブロック図である。図１において、ＣＰＵ１は、プログラムを実行し、プログラムに記述された処理を実行する演算処理装置である。また、ＲＯＭ２は、プログラムおよびデータを予め記憶した不揮発性のメモリである。また、ＲＡＭ３は、プログラムを実行する際にそのプログラムおよびデータを一時的に記憶するメモリである。
【００５２】
また、インタフェース４は、データ格納装置１１を接続可能なインタフェース回路である。インタフェース５は、ネットワークインタフェースカード、モデムなどといった通信装置１２を接続可能なインタフェース回路である。インタフェース６は、キーボード、マウスなどといった入力装置１３を接続可能なインタフェース回路である。なお、インタフェース４，５，６としては、ＳＣＳＩ（Small Computer System Interface ）、ＩＤＥ（Integrated Device Electronics ）互換のもの、ＩＥＥＥ１３９４、ＵＳＢ（Universal Serial Bus）、ＲＳ−２３２Ｃなどといったインタフェースが適宜使用される。ただし、通信装置１２としてネットワークインタフェースカードなどのコンピュータに内蔵可能なものを使用する場合には、バス８に直接接続可能である。
【００５３】
また、画像処理回路７は、画像データを書き込まれると、そのデータに対応する画像信号を出力する回路である。この画像処理回路８には、その画像信号に基づいて画像を表示する表示装置１４が接続可能である。
【００５４】
バス８は、ＣＰＵ１、ＲＯＭ２、ＲＡＭ３、インタフェース４，５，６、および画像処理回路７を相互に接続する信号路である。バス８としては、ＰＣＩ（Peripheral Component Interconnect ）などといった規格のバスが使用される。なお、バス８の本数、およびＣＰＵ１などのバス８への接続形態は、図１のものに限定されるものではない。例えば、バス８を２本とし、そのうちの一本にＣＰＵ１とＲＡＭ３とを接続し、残りの一本に、他のインタフェース４，５，６などを接続するようにしてもよい。その場合には、２本のバス８を接続するブリッジコントローラが設けられる。
【００５５】
また、データ格納装置１１は、大容量のデータを格納可能な装置であって、番組表データを生成する際に実行される番組表生成プログラム２１、ユーザの嗜好情報を有するユーザ嗜好データ２２、ユーザが直接的に番組について指定した選択条件の情報を有するユーザ個別指定データ２３、および複数の放送局により所定の期間内に放送される番組の情報をそれぞれ含む複数の番組データからなる番組データリスト２４を格納する装置である。データ格納装置１１は、ユーザ嗜好データ２２を記憶する記憶手段として機能する。このように装置としては、ハードディスク駆動装置、ディスクアレイ装置などが使用される。
【００５６】
図２は、実施の形態１に係る番組表表示装置において番組表生成プログラム２１が実行されることにより実現される機能の構成を示すブロック図である。図２において、ユーザ嗜好入力手段４１は、インタフェース６およびバス８を介して入力装置１３からのユーザ操作に対応する入力信号に基づいて、ユーザ嗜好データ２２を取得し、ＲＡＭ３またはデータ格納装置１１に格納する嗜好情報取得手段として機能する。また、ユーザ個別指定入力手段４２は、インタフェース６およびバス８を介して入力装置１３からのユーザ操作に対応する入力信号に基づいて、ユーザ個別指定データ２３を取得し、ＲＡＭ３またはデータ格納装置１１に格納する機能を有する。
【００５７】
これらの入力手段４１，４２は、バス８および画像処理回路７を介して表示装置１４の表示を制御しＧＵＩ（Graphical User Interface）として機能するようにしてもよい。
【００５８】
また、番組抽出手段４３は、番組データリスト２４から、生成する番組表データの時間帯に属する番組データを抽出する抽出手段として機能する。抽出された番組データは、ＲＡＭ３またはデータ格納装置１１における番組候補リスト３１に登録される。
【００５９】
また、番組表候補生成手段４４は、番組候補リスト３１内の番組データを配列した１または複数の番組表候補データを生成する機能を有する。この番組表候補データは、ＲＡＭ３またはデータ格納装置１１に格納されるとともに、番組表候補リスト３２に登録される。
【００６０】
また、番組表候補評価手段４５は、番組表候補リスト３２内の番組データとユーザ嗜好データ２２との適合度に基づいて番組表候補データを評価する機能を有し、さらに、この各番組表候補データの評価に基づいて、番組表候補データの１つを番組表データ３３とする番組表決定手段として機能する。この番組表データ３３は、ＲＡＭ３またはデータ格納装置１１に格納される。
【００６１】
なお、これらの番組抽出手段４３、番組表候補生成手段４４および番組表候補評価手段４５は、番組データリスト２４並びにユーザ嗜好データ２２に基づいて、放送時間帯が互いに重ならない複数の番組データを、複数の放送局を縦断して選択する選択手段４６として機能する。
【００６２】
また、表示手段４７は、番組表データ３３に基づいて、複数の放送局に属する複数の番組を、１列または１行の番組表として、放送時間帯に沿って表示装置１４に表示させる機能を有する。なお、表示される番組は、放送される番組の映像ではなく、いわゆる番組情報のことである（以下同様である）。
【００６３】
図３は、実施の形態１におけるユーザ嗜好データ２２の一例を示す図である。このユーザ嗜好データ２２は、番組のジャンルごとの嗜好度テーブル２２ａ、タレント、スポーツ選手などの出演者ごとの嗜好度テーブル２２ｂ、およびフリーキーワードテーブル２２ｃを有する。各テーブル２２ａ，２２ｂ，２２ｃでは、各項目について項目名データと嗜好度データが格納される。なお、これらの嗜好度データは、イエス・ノーといったいわゆるデジタル的な２値データではなく、例えば０から１までといった所定の範囲の中間値を取りうるデータである。つまり、例えば値の範囲が０から１までの場合、全く好きではない項目については、０あるいは０に近い数値が与えられ、かなり好きな項目については、１あるいは１に近い数値が与えられ、まあまあ好きな項目については、０．６あるいは０．７といった数値が与えられる。
【００６４】
図４は、実施の形態１における番組データリスト２４の一例を示す図である。番組データリスト２４には、複数の番組データ２４ａが含まれる。番組データ２４ａは、１つの番組についてのデータであり、放送局情報、放送日付情報、放送の開始時刻情報、放送の終了時刻情報、番組のタイトルを示すタイトル情報、番組の属するジャンルを示すジャンル情報、１または複数の出演者を示す出演者リスト、詳細説明などを含む内容説明テキストなどを有する。なお、番組データリスト２４が放送局ごと、放送日付ごとなどでまとめて格納される場合には、番組データ２４ａ内の対応する情報（放送局情報、放送日付情報など）は特になくてもよい。この番組データリスト２４としては、本放送とともに配信されたり、コンピュータネットワークを介して提供される電子番組プログラムをそのまま使用したり適宜編集して使用すればよい。
【００６５】
次に、上記装置の動作について説明する。図５は、実施の形態１に係る番組表表示装置の動作について説明するフローチャートである。
【００６６】
まず、ＣＰＵ１により番組表生成プログラム２１が実行されると、図２に示すユーザ嗜好入力手段４１、ユーザ個別指定入力手段４２、番組抽出手段４３、番組表候補生成手段４４、番組表候補評価手段４５および表示手段４７が実現される。
【００６７】
所定の操作が行われると装置の動作モードが登録モードに移行し、ユーザ嗜好入力手段４１およびユーザ個別指定入力手段４２は、入力装置１３に対するユーザの操作に基づいて、ユーザ入力情報をユーザ嗜好データ２２およびユーザ個別指定データ２３として登録する。
【００６８】
一方、所定の別の操作が行われると装置の動作モードがユーザの個別番組表を表示させる番組表表示モードに移行し、番組抽出手段４３、番組表候補生成手段４４、番組表候補評価手段４５および表示手段４７は、番組表を表示させる以下の処理を実行する。
【００６９】
まず、番組抽出手段４３が、番組データリスト２４から目的となる番組表の時間帯の開始時間より後の番組終了時刻を有し、かつ目的となる番組表の時間帯の終了時間より前の番組開始時刻を有する１または複数の番組データ２４ａを抽出し、番組候補リスト３１に格納する（ステップＳ１）。なお、番組表の先頭時刻と最終時刻は、例えばユーザ操作に基づいて、事前に設定される。
【００７０】
図６は、図５のステップＳ１の番組抽出処理の詳細について説明するフローチャートである。まず、番組抽出手段４３は、上述のように目的となる番組表の時間帯に属する番組データを抽出する（ステップＳ１１）。
【００７１】
次に、番組抽出手段４３は、ユーザ嗜好データ２２およびユーザ個別指定データ２３を参照して、各番組データ２４ａと、ユーザ嗜好データ２２およびユーザ個別指定データ２３との適合度を計算する（ステップＳ１２）。例えば、適合度の計算においては、ユーザ嗜好データ２２において嗜好度が設定されている項目が番組データ２４ａに存在する場合、その嗜好度が適合度に加算されていくようにしてもよいし、番組データ２４ａに存在する項目であってユーザ嗜好データ２２において嗜好度が設定されている項目についてのファジィ積分（ショケ積分など）の値をその番組データ２４ａの適合度としてもよい。ファジィ積分値を適合度とした場合には、優加法性に基づき、嗜好度の高い１つの項目が番組データ２４ａに存在する場合より、それより嗜好度の低い２つの項目が番組データ２４ａに存在する場合のほうが、高い適合度となり易くなる。すなわち、例えば、嗜好度が高い１人の出演者がいるより、その出演者より嗜好度が低い２人の出演者がいるほうが適合度が高くなり易い。
【００７２】
なお、ここで計算された番組データ２４ａとユーザ嗜好データ２２との適合度は、その番組データに関連付けてＲＡＭ３またはデータ格納装置１１に格納される。
【００７３】
そして、番組抽出手段４３は、抽出した番組データ２４ａを、ユーザ嗜好データ２２およびユーザ個別指定データ２３との適合度の高い順にソートし、番組候補リスト３１に格納する（ステップＳ１３）。
【００７４】
なお、番組候補リスト３１には、番組データ２４ａそのものを格納せずに、番組データリスト２４内の番組データを指し示す指標、識別情報、アドレスなどといった指定情報のみを格納するようにしてもよい。
【００７５】
図５に戻り、次に、番組表候補生成手段４４は、番組候補リスト３１内の番組データ２４ａを先頭から順番に読み出し、放送時間帯が互いに重ならない複数の番組データ２４ａを、複数の放送局を縦断して選択し、番組表候補データを生成する（ステップＳ２）。その際、番組表候補生成手段４４は、第１番目の番組表候補データに使用されなかった番組データを少なくとも１つ使用して、第２番目以降の番組表候補データを生成する。これらの番組表候補データは、番組表候補リスト３２に格納される。図７は、実施の形態１における番組表候補リスト３２を示す図である。図７に示すように、番組表候補リスト３２には、複数の番組データ５１ａ（２４ａ）からなる番組表候補データ５１が含まれる。
【００７６】
なお、番組表候補リスト３２における各番組表候補データには、番組データ（番組データ）そのものを含めずに、番組データリスト２４内の番組データ２４ａを指し示す指定情報のみを番組データ５１ａとして格納するようにしてもよい。
【００７７】
そして、番組表候補評価手段４５は、番組表候補リスト３２に格納された各番組表候補データ５１について、番組表候補データ５１におけるすべての番組データ５１ａとユーザ嗜好データ２２との適合度などに基づいて評価値を計算し、評価値が最大である番組表候補データ５１を選択し、番組表データ３３として格納する（ステップＳ３）。その際、番組表候補評価手段４５は、ステップＳ１２において計算され格納された各番組データ５１ａ（２４ａ）とユーザ嗜好データ２２との適合度を読み出し使用する。
【００７８】
実施の形態１では、番組表候補評価手段４５は、第１の指標としての、番組表候補データ５１におけるすべての番組データ５１ａとユーザ嗜好データ２２との平均適合度、第２の指標としての、番組表候補データ５１に含まれる番組データ５１ａのジャンルのバランス、および、第３の指標としての、番組表候補データ５１に含まれる番組データ５１ａによる、番組表候補データ５１の時間帯（番組表の先頭時刻から最終時刻までの時間帯）に対する占有割合の３つの指標に基づいて、番組表候補データ５１の評価値を計算する。
【００７９】
例えば、第１の指標としての平均適合度は、番組表候補データ５１におけるすべての番組データ５１ａについての、各番組データ５１ａの放送時間で重み付けした平均値である。つまり、ある番組データ５１ａの放送時間が０．５時間でその適合度が０．９であり、別の番組データ５１ａの放送時間が１．５時間でその適合度が０．６である場合には、２つの番組データ５１ａの平均適合度は、０．６７５（＝（０．５×０．９＋１．５×０．６）／（０．５＋１．５））と計算される。
【００８０】
例えば、第２の指標としてのジャンルのバランスは、番組表候補データ５１に含まれる番組データ５１ａのジャンルの総数、あるいはその総数と所定の平均ジャンル数（例えば３）との差、各ジャンルに属する番組データ５１ａの合計放送時間のばらつき（分散値や標準偏差値の合計など）などから一意に計算される値とされる。
【００８１】
第３の指標として占有割合は、番組表候補データ５１による番組表の先頭時刻から最終時刻までの時間を、すべての番組データ５１ａの放送時間の合計で除算して得られる値とされる。
【００８２】
なお、３つの指標に基づいて番組表候補データ５１の評価値を計算する際には、例えば、３つの指標を適宜規格化し、３つの指標の重み付け総和を評価値としてもよいし、その他の計算式に基づいてもよい。また、上述の３つの指標すべてを使用せずに、ユーザのニーズなどに応じて、これらのうちの１つまたは２つに基づいて評価値を計算するようにしてもよい。
【００８３】
その後、表示手段４７は、番組表データ３３に基づいて、ユーザの嗜好に適合した複数の番組を、１列または１行の番組表として、放送時間帯に沿って表示装置１４に表示させる（ステップＳ４）。その際、表示手段４７は、バス８を介して画像処理回路７に、番組表を表示するための画像データを供給する。画像処理回路７は、供給された画像データに基づいて番組表を表示装置１４に表示させる。
【００８４】
図８は、実施の形態１に係る番組表表示装置により表示される番組表の一例を示す図である。この番組表６１では、番組表データ３３に含まれる番組データ５１ａ（２４ａ）に基づいて、放送時間帯を示す細長長方形の画像６１ａに沿って、番組情報を示す３つの画像６１ｂ，６１ｃ，６１ｄが表示されている。
【００８５】
画像６１ｂにより、放送開始時刻が１８：００であり、放送終了時刻が１８：３０であり、タイトルが「番組Ａタイトル」であり、放送局が「テレビ局Ａ」であり、内容説明テキストが「コーナー１」および「コーナー２」であり、出演者が「司会者１」、「ゲスト１」および「ゲスト２」である番組が表されている。これらの情報は、番組データ２４ａの各フィールドの値（内容）から得られるものである。
【００８６】
画像６１ｃにより、放送開始時刻が１８：３０であり、放送終了時刻が２０：３０であり、タイトルが「番組Ｂタイトル」であり、放送局が「テレビ局Ｄ」であり、内容説明テキストが「あらすじ」である番組が表されている。
【００８７】
このようにして、特定のユーザについて、そのユーザの嗜好に合致した複数の放送局の番組を含む番組表６１が、１列または１行で表示される。
【００８８】
ここで、図５のステップＳ２における番組表候補データ生成処理の詳細について説明する。図９は、図５のステップＳ２における番組表候補データ生成処理の詳細について説明するフローチャートである。
【００８９】
番組表候補データ５１を生成する場合、まず、番組表候補生成手段４４は、番組候補リスト３１の先頭の番組データ５１ａ（２４ａ）、つまり適合度の最も高い番組データ５１ａ（２４ａ）を選択する（ステップＳ２１）。
【００９０】
次に、番組表候補生成手段４４は、選択した番組データ５１ａ（２４ａ）を、番組表候補データ５１に当てはめることができるか否か、つまり番組表候補データ５１における他の番組データ５１ａ（２４ａ）と放送時間帯が重ならないかあるいは重なるかを判定する（ステップＳ２２）。その際、番組表候補生成手段４４は、番組表候補データ５１に既に当てはめられた各番組データ５１ａ（２４ａ）の放送開始時刻および放送終了時刻を参照して判定する。
【００９１】
番組表候補生成手段４４は、選択した番組データ５１ａ（２４ａ）を番組表候補データ５１に当てはめることができると判定した場合には、番組表候補データ５１にその番組データ５１ａ（２４ａ）を追加する（ステップＳ２３）。これにより、番組表候補データ５１による番組表候補に、その番組データ５１ａ（２４ａ）による番組が割り当てられたことになる。
【００９２】
一方、番組表候補生成手段４４は、選択した番組データ５１ａ（２４ａ）を番組表候補データ５１に当てはめることができないと判定した場合には、ＲＡＭ３またはデータ格納装置１１に設けられた選択漏れキュー（図示せず）にその番組データ５１ａ（２４ａ）を追加する（ステップＳ２４）。その際、選択漏れキューでは、番組データ５１ａ（２４ａ）は、先に追加されたものが先頭寄りとなるように配列される。なお、選択漏れキューには、番組データ（番組データ）そのものを格納せずに、番組データリスト２４内の番組データ２４ａを指し示す指定情報のみを格納するようにしてもよい。
【００９３】
そして、番組表候補生成手段４４は、選択した番組データ５１ａ（２４ａ）が番組候補リスト３１の最後の番組データ５１ａ（２４ａ）であるか否かを判定する（ステップＳ２５）。番組表候補生成手段４４は、選択した番組データ５１ａ（２４ａ）が番組候補リスト３１の最後の番組データ５１ａ（２４ａ）ではない場合には、番組候補リスト３１内の次の番組データ５１ａ（２４ａ）、つまり次に適合度の高い番組データ５１ａ（２４ａ）を選択し（ステップＳ２６）、その番組データ５１ａ（２４ａ）に対して同様にしてステップＳ２２〜Ｓ２５の処理を行う。
【００９４】
このようにして番組候補リスト３１におけるすべての番組データ５１ａ（２４ａ）が、番組表候補データ５１あるいは選択漏れキューに割り当てられる。
【００９５】
番組表候補生成手段４４は、この時点の番組表候補データ５１を第１番目の番組表候補データ５１として番組表候補リスト３２に追加する。
【００９６】
ここで、番組表候補生成手段４４は、番組表候補リスト３２における番組表候補データ５１の数が所定の数となったか否かを判定する（ステップＳ２８）。番組表候補生成手段４４は、番組表候補リスト３２における番組表候補データ５１の数が所定の数となっていない場合には、選択漏れキューが空であるか否かを判定する（ステップＳ２９）。
【００９７】
そして、番組表候補生成手段４４は、番組表候補リスト３２における番組表候補データ５１の数が所定の数となっておらず、かつ選択漏れキューが空になっていない場合には、ステップＳ３０に進み、第２番目の番組表候補データ５１の生成を開始する。
【００９８】
一方、番組表候補生成手段４４は、番組表候補リスト３２における番組表候補データ５１の数が所定の数となるか、あるいは選択漏れキューが空になった場合には、番組表候補データ５１の生成を終了する。
【００９９】
第２番目以降の番組表候補データ５１を生成する場合、番組表候補生成手段４４は、次の番組表候補データ５１に、まず、選択漏れキューの先頭の番組データ５１ａ（２４ａ）（つまり、選択漏れキューにおいて最も適合度が高いもの）を追加する（ステップＳ３０）。追加後、番組表候補生成手段４４は、選択漏れキューからその番組データ５１ａ（２４ａ）を削除する。
【０１００】
そして、番組表候補生成手段４４は、番組候補リスト３１の先頭の番組データ５１ａ（２４ａ）、つまり適合度の最も高い番組データ５１ａ（２４ａ）を選択する（ステップＳ３１）。なお、この時点の番組候補リスト３１は、ステップＳ２１と同様の状態のものである。
【０１０１】
次に、番組表候補生成手段４４は、選択した番組データ５１ａ（２４ａ）を、番組表候補データ５１に当てはめることができるか否かを判定する（ステップＳ３２）。
【０１０２】
番組表候補生成手段４４は、選択した番組データ５１ａ（２４ａ）を番組表候補データ５１に当てはめることができると判定した場合には、番組表候補データ５１にその番組データ５１ａ（２４ａ）を追加する（ステップＳ３３）。
【０１０３】
一方、番組表候補生成手段４４は、選択した番組データ５１ａ（２４ａ）を番組表候補データ５１に当てはめることができないと判定した場合には、ステップＳ３３の処理をスキップする。つまり、第２番目以降の番組表候補データ５１の生成の際には、選択漏れキューに番組データ５１ａ（２４ａ）は追加されない。
【０１０４】
そして、番組表候補生成手段４４は、選択した番組データ５１ａ（２４ａ）が番組候補リスト３１の最後の番組データ５１ａ（２４ａ）であるか否かを判定する（ステップＳ３４）。番組表候補生成手段４４は、選択した番組データ５１ａ（２４ａ）が番組候補リスト３１の最後の番組データ５１ａ（２４ａ）ではない場合には、番組候補リスト３１の次の番組データ５１ａ（２４ａ）、つまり次に適合度の高い番組データ５１ａ（２４ａ）を選択し（ステップＳ３５）、その番組データ５１ａ（２４ａ）に対して同様にしてステップＳ３２〜Ｓ３４の処理を行う。
【０１０５】
番組表候補生成手段４４は、この時点の番組表候補データ５１を第２番目の番組表候補データ５１として番組表候補リスト３２に追加する（ステップＳ３６）。第２番目の番組表候補データ５１は、選択漏れキューにおける番組データ５１ａ（２４ａ）を有するため、第１番目の番組表候補データ５１とは異なるものとなっている。
【０１０６】
これ以降、ステップＳ２８，Ｓ２９において、番組表候補リスト３２内の番組表候補データ５１の数が所定の数になったと判定されるか、選択漏れキュー内の番組データがなくなったと判定されるまで、ステップＳ２８〜Ｓ３６において、第３番目以降の番組表候補データ５１が繰り返し生成される。
【０１０７】
このようにして、番組表候補データ５１を含む番組表候補リスト３２が生成される。これにより、適合度が高くかつ互いに異なる複数の番組表候補データ５１が生成される。
【０１０８】
以上のように、上記実施の形態１によれば、ユーザ嗜好データ入力手段４１は、ユーザ嗜好データ２２を取得しデータ格納装置１１に格納する。選択手段４６は、番組データ２４ａおよびユーザ嗜好データ２２に基づいて、放送時間帯が互いに重ならない複数の番組データ２４ａを、複数の放送局を縦断して選択する。表示手段４７は、選択手段４６により選択された複数の番組の番組データ５１ａ（２４ａ）に基づいて、複数の放送局に属する複数の番組を、１列または１行の番組表として、放送時間帯に沿って表示装置１４に表示させる。
【０１０９】
これにより、ユーザの嗜好に合った個別の番組表が１列または１行で自動的に表示される。したがって、ユーザの嗜好データに合致する番組のみを、煩雑な操作を要求することなく、ユーザにとって見やすい番組表で呈示することができ、ユーザの嗜好に合致した番組を見逃してしまう可能性を低減することができる。
【０１１０】
さらに、上記実施の形態１によれば、番組抽出手段４３は、複数の放送局の複数の番組の番組データ２４ａから、番組表の時間帯に属する番組データ２４ａを抽出する。そして、番組表候補生成手段４４は、番組抽出手段４３により抽出された番組データ５１ａ（２４ａ）を配列した番組表候補データ５１を生成する。番組表候補評価手段４５は、番組表候補生成手段４４により生成された番組表候補データ５１に含まれる番組データ５１ａとユーザ嗜好データ２２との適合度に基づいて番組表候補データ５１を評価し、各番組表候補データの評価に基づいて番組表データ３３を決定する。
【０１１１】
これにより、多くの番組データのうち、生成する番組表データに選ばれない番組データが、番組表候補データの評価の前に除外されるため、番組表候補生成手段４４による番組表候補データの生成および／または番組表候補評価手段４５による番組表候補データの評価の際に計算の対象となる番組データを少なくすることができ、短い時間で番組表データを生成することができる。
【０１１２】
さらに、上記実施の形態１によれば、番組表候補生成手段４４は、番組抽出手段４３により抽出された番組データ５１ａ（２４ａ）を、ユーザ嗜好データ２２との適合度の高い順に選択し、放送時間帯が重なった番組データ２４ａを除外しつつ第１番目の番組表候補データ５１に当てはめていき、第１番目の番組表候補データ５１を生成する。
【０１１３】
これにより、第１番目の番組表候補データ５１として、ユーザ嗜好データ２２との適合度の高い番組データ５１ａ（２４ａ）が多く含まれ番組表候補評価手段４５による高評価を期待できる番組表候補データ５１が生成される。
【０１１４】
さらに、上記実施の形態１によれば、番組表候補生成手段４４は、所定の数の番組表候補データを生成するか、あるいは第１番目の番組表候補データ５１の生成時に除外した番組データ２４ａのいずれもを番組表候補データ５１で使用するまで、繰り返し、第１番目の番組表候補データ５１の生成時に除外した番組データ２４ａのうちの次に適合度の高いものを、最初に次の番組表候補データ５１へ当てはめ、その後、番組抽出手段４３により抽出された番組データ２４ａをユーザ嗜好データ２２との適合度の高い順に選択し、放送時間帯が重なった番組データ２４ａを除外しつつ当該次の番組表候補データ５１に当てはめていき当該次の番組表候補データ５１を生成する。
【０１１５】
これにより、ユーザ嗜好データ２２との適合度の高い番組データ２４ａが多く含まれ番組表候補評価手段４５による高評価を期待できる番組表候補データ５１を多く生成することができる。
【０１１６】
さらに、上記実施の形態１によれば、番組表候補評価手段４５は、番組表候補データ５１に含まれる番組データ５１ａとユーザ嗜好データ２２との適合度に加え、番組表候補データ５１に含まれる番組データ５１ａの番組ジャンルの割合に基づいて、番組表候補データ５１を評価する。
【０１１７】
これにより、ユーザに対してより適切な番組表を提示することができる。番組表の番組ジャンルに偏りがあると、例えば同一番組ジャンルの番組を長時間にわたって連続してしまうため、そのような番組表は必ずしもユーザにとって最適であるとはいえない。この番組表表示装置によれば、そのような番組表が表示される可能性を低減することができる。
【０１１８】
さらに、上記実施の形態１によれば、番組表候補評価手段４５は、番組表候補データに含まれる番組データ５１ａとユーザの嗜好情報２２との適合度に加え、番組表候補データ５１の時間帯に対する番組の時間の占有割合に基づいて、番組表候補データ５１を評価する。
【０１１９】
これにより、ユーザに対してより適切な番組表を提示することができる。番組が表示されていない時間帯が多い番組表はユーザにとって最適であるとはいえない。この番組表表示装置によれば、そのような番組表が表示される可能性を低減することができる。
【０１２０】
実施の形態２．
本発明の実施の形態２に係る番組表表示装置は、実施の形態１と同様に複数の放送局に属する複数の番組を第１の番組表として１列または１行で放送時間帯に沿って表示させ、さらに、第１の番組表の番組を除く番組からなる第２の番組表を、第１の番組表に並行して表示させるようにしたものである。
【０１２１】
実施の形態２に係る番組表表示装置は、実施の形態１に係る番組表表示装置と比較して、番組表生成プログラム２１を変更したものである。したがって、ここでは、実施の形態２における番組表生成プログラム２１により実現される各種機能について説明し、その他の構成については実施の形態１の場合と同様であるので、その説明を省略する。
【０１２２】
図１０は、実施の形態２に係る番組表表示装置において番組表生成プログラムが実行されることにより実現される機能の構成を示すブロック図である。図１０において、ユーザ嗜好入力手段４１、ユーザ個別指定入力手段４２、番組抽出手段４３および番組表候補生成手段４４は、実施の形態１の場合と同様の機能を有する手段である。
【０１２３】
図１０において、既選択番組除去手段７１は、番組表データ３３の生成後、番組表データ３３に含まれる番組データ５１ａ（２４ａ）を番組候補リスト３１から削除する機能を有する。
【０１２４】
また、番組表候補評価手段４５Ａは、実施の形態１の番組表候補評価手段４５と同様に各番組表候補データの評価に基づいて番組表データ３３を決定するとともに、既選択番組除去手段７１により番組表データ３３に含まれる番組データが番組候補リスト３１から削除された後に、番組表候補生成手段４４により生成された各番組表候補データ５１を評価しその評価値に基づいてサブ番組表データ６２を決定する機能を有する。サブ番組表データ６２は、ＲＡＭ３またはデータ格納装置１１に格納される。
【０１２５】
また、表示手段４７Ａは、番組表データ３３およびサブ番組表データ６２に基づいて、複数の放送局に属する複数の番組を、１列または１行の第１の番組表および第１の番組表に並行した第２の番組表として１つの放送時間帯に沿って表示装置１４に表示させる機能を有する。
【０１２６】
次に、上記装置の動作について説明する。図１１は、実施の形態２に係る番組表表示装置の動作について説明するフローチャートである。
【０１２７】
まず、ＣＰＵ１により番組表生成プログラム２１が実行されると、図１０に示すユーザ嗜好入力手段４１、ユーザ個別指定入力手段４２、番組抽出手段４３、番組表候補生成手段４４、番組表候補評価手段４５Ａ、表示手段４７Ａおよび既選択番組除去手段７１が実現される。
【０１２８】
なお、登録モードでのユーザ嗜好入力手段４１およびユーザ個別指定入力手段４２の動作については実施の形態１の場合と同様である。
【０１２９】
一方、番組表表示モードでは、番組抽出手段４３、番組表候補生成手段４４、番組表候補評価手段４５Ａ、表示手段４７Ａおよび既選択番組除去手段７１は、番組表を表示させる以下の処理を実行する。
【０１３０】
まず、番組抽出手段４３、番組表候補生成手段４４および番組表候補評価手段４５Ａにより、実施の形態１の場合と同様にして、番組表データ３３が生成される（ステップＳ１〜Ｓ３）。
【０１３１】
番組表データ３３が生成されると、既選択番組除去手段７１は、番組表データ３３に含まれる番組データ５１ａ（２４ａ）を特定し、その番組データ５１ａ（２４ａ）を番組候補リスト３１から削除する（ステップＳ１０１）。
【０１３２】
次に、番組表データ３３に含まれる番組データ５１ａ（２４ａ）が除外された番組候補リスト３１に基づいて、番組表候補生成手段４４により、実施の形態１の場合と同様にして、番組表候補リスト３２が生成される（ステップＳ１０２）。
【０１３３】
そして、番組表候補評価手段４５Ａは、番組表データ３３に含まれる番組データ５１ａ（２４ａ）が除外された番組候補リスト３１に基づいて番組表候補リスト３２が生成されると、この時点の番組表候補リスト３２に含まれる各番組表候補データ５１を評価し、評価の最も高い番組表候補データ５１をサブ番組表データ６２とする（ステップＳ１０３）。
【０１３４】
このようにして、番組表データ３３およびサブ番組表データ６２が生成された後、表示手段４７Ａは、番組表データ３３およびサブ番組表データ６２に基づいて、番組表データ３３に基づく第１優先の番組表を１列または１行で放送時間帯に沿って表示装置１４に表示させ、それとともに、サブ番組表データ６２に基づく第２優先の番組表を１列または１行で第１優先の番組表に沿って表示装置１４に表示させる（ステップＳ１０４）。
【０１３５】
図１２は、実施の形態２に係る番組表表示装置により表示される番組表の一例を示す図である。この番組表８１では、番組表データ３３に基づく１列の第１優先番組表８１ｂ、およびサブ番組表データ６２に基づく１列の第２優先番組表８１ｃが、放送時間帯を示す細長長方形の画像８１ａに沿って表示されている。
【０１３６】
第１優先番組表８１ｂでは、ユーザにとって最も適切である旨を示すテキスト「ＢＥＳＴ  ＣＨＯＩＣＥ」が列のタイトルとして表示され、番組表データ３３の各番組データ５１ａ（２４ａ）に基づく各番組の画像が、実施の形態１の場合と同様に表示される。
【０１３７】
また、第２優先番組表８１ｃでは、ユーザにとって２番目に最も適切である旨を示すテキスト「ＮＥＸＴ  ＣＨＯＩＣＥ」が列のタイトルとして表示され、サブ番組表データ６２の各番組データ５１ａ（２４ａ）に基づく各番組の画像８１ｄ，８１ｅ，８１ｆが、第１優先番組表８１ｂと同一の時間軸で表示される。
【０１３８】
このようにして、特定のユーザについて、そのユーザの嗜好に最も適合した番組表と２番目に最も適合した番組表が、２列（または２行）で表示される。
【０１３９】
なお、上述の各処理の詳細については実施の形態１の場合と同様にすればよい。
【０１４０】
以上のように、上記実施の形態２によれば、選択手段４６は、第１の番組表のために選択した番組データを除外して、第２の番組表のために、放送時間帯が互いに重ならない複数の番組データを選択する。そして、表示手段４７Ａは、番組データ３３に基づいて、第１の番組表を１列または１行で放送時間帯に沿って表示させ、サブ番組データ６２に基づいて、第２の番組表を、第１の番組表の放送時間帯に沿って１列または１行で表示させる。
【０１４１】
これにより、ユーザの嗜好に合った個別の第１の番組表が１列または１行で自動的に表示されるとともに、その番組表に含まれないが適合度の高い番組が第２の番組表として第１の番組表と並んで表示される。したがって、ユーザは、ある視聴時刻について、２つの番組表の番組を比較することができる。ひいては、ユーザの嗜好に合致した番組を見逃してしまう可能性を低減することができる。なお、２列程度であれば、良好な視認性を確保しつつ同一画面で番組表全体を表示させることが可能である。
【０１４２】
実施の形態３．
本発明の実施の形態３に係る番組表表示装置は、実施の形態１と同様に複数の放送局に属する複数の番組を１列または１行の番組表で放送時間帯に沿って表示させ、さらに、番組表に選択されない番組のうち、ユーザの嗜好情報との適合度が高いと予想される番組を選択し、その番組を、上記番組表に沿って表示させるようにしたものである。
【０１４３】
なお、番組表に選択されない番組のうち、ユーザの嗜好情報との適合度が高いと予想される番組を選択する予想選択手段（図示せず）は、番組表生成プログラム２１が実行されることで実現され、後述する処理を実行する機能を有する。
【０１４４】
また、「番組表に選択されない番組のうち、ユーザの嗜好情報との適合度が高いと予想される番組」とは、例えば、当該ユーザと類似した属性情報を有する他のユーザが視聴している番組、非契約チャンネルで現時点で視聴できないがユーザの嗜好情報との適合度が高い番組、ユーザの知人からお勧めのあった番組などである。
【０１４５】
なお、当該ユーザと類似した属性情報を有する他のユーザが視聴している番組については、各ユーザについて、属性情報、視聴履歴およびユーザ個別指定データ２３を予め格納しておき、属性情報内の特定の属性項目の値が近い他のユーザを選択し、そのユーザの視聴履歴およびユーザ個別指定データ２３に登録されている番組で、今回表示する番組表の時間帯に属するものを抽出し、その番組の番組データ２４ａに基づいて番組の画像を表示させればよい。
【０１４６】
また、非契約チャンネルで現時点で視聴できないがユーザの嗜好情報との適合度が高い番組については、非契約チャンネルの番組データ２４ａのうち、今回表示する番組表の時間帯に属するものを抽出し、抽出した番組データ２４ａのうち、ユーザの嗜好情報との適合度が高い番組データ２４ａを選択し、その番組データ２４ａに基づいて番組の画像を表示させればよい。
【０１４７】
また、ユーザの知人からお勧めのあった番組については、電子メールシステム、電子チャットシステム、電子掲示板などを利用して、特定の他のユーザにより入力された、当該ユーザ宛ての番組お勧め情報を、当該ユーザについての所定の記憶領域（例えばデータ格納装置１１）に蓄積しておき、番組表表示の際に、この記憶領域から番組お勧め情報を読み出し、その番組お勧め情報に合致する番組データ２４ａを抽出し、抽出した番組データ２４ａのうち、今回表示する番組表の時間帯に属するものを選択し、その番組データ２４ａに基づいて番組の画像を表示させればよい。
【０１４８】
図１３は、実施の形態３に係る番組表表示装置により表示される番組表の一例を示す図である。この番組表では、番組表データ３３に基づく１列の番組表が、放送時間帯を示す細長長方形の画像に沿って表示されている。そして、その１列の番組表の隣りの列１０１に、「ＯＴＨＥＲ  ＣＨＯＩＣＥ」なるタイトルで、「番組表に選択されない番組のうち、ユーザの嗜好情報との適合度が高いと予想される番組」として、タイトルが「番組Ｚタイトル」で、放送局が「テレビ局Ｇ」である番組の画像が表示されている。
【０１４９】
なお、その他、サービス提供者が表示させたい特定の番組を同様にして表示させるようにしてもよい。また、これらの表示処理は、表示手段４７により所定の表示装置１４に対して行われる。
【０１５０】
なお、実施の形態３では、実施の形態１に装置に加えて追加の番組を表示させるようにしているが、実施の形態２に装置に加えて追加の番組を表示させるようにしてもよい。その場合には、表示される番組表は、「ＢＥＳＴ  ＣＨＯＩＣＥ」、「ＮＥＸＴ  ＣＨＯＩＣＨ」、「ＯＴＨＥＲ  ＣＨＯＩＣＥ」といった３列（または３行）となる。
【０１５１】
以上のように、上記実施の形態３に係る番組表表示装置は、図示せぬ予想選択手段により、番組データリスト２４に基づいて、選択手段４６により選択されない番組のうち、ユーザの嗜好情報との適合度が高いと予想される番組を選択する。そして、表示手段４７は、番組データ３３に基づいて番組表を１列または１行で放送時間帯に沿って表示させるとともに、予想選択手段により選択された番組を、その番組表の放送時間帯に沿って表示させる。
【０１５２】
これにより、ユーザの嗜好に合った個別の番組表が１列または１行で自動的に表示されるとともに、番組表に含まれないが適合度の高い番組がその番組表と並んで表示される。したがって、ユーザは、適合度が高いと予想される番組を比較対象としつつ番組を選択することができる。ひいては、ユーザの嗜好に合致した番組を見逃してしまう可能性を低減することができる。
【０１５３】
実施の形態４．
本発明の実施の形態４に係る番組表表示装置は、上記実施の形態１〜３のいずれかに係る番組表表示装置と同様の構成に加え、ユーザ嗜好データ２２における各項目の値として、所定の範囲内の中間値（つまりデジタル的な２値ではない値）を設定するＧＵＩを有するものである。このＧＵＩは、番組表生成プログラム２１が実行されることにより実現されるユーザ嗜好入力手段４１、入力装置１３および表示装置１４で構成される。
【０１５４】
なお、番組表データ３３の生成および番組表の表示については、上記実施の形態１〜３のいずれかに係る番組表表示装置と同様の構成および動作により可能であるため、それについての詳細な説明は省略する。
【０１５５】
次に、実施の形態４に係る番組表表示装置によるユーザ嗜好データ２２の取得について説明する。
【０１５６】
まず、所定の操作が行われ装置の動作モードが登録モードに移行すると、ユーザ嗜好入力手段４１は、入力フォームを表示手段１４に表示させる。
【０１５７】
図１４は、実施の形態４に係る番組表表示装置により表示される入力フォームの一例を示す図である。図１４に示す入力フォームでは、番組の各ジャンルを項目として各ジャンルの嗜好度を入力するための第１の入力領域１２１、フリーキーワードを項目として各フリーキーワードの嗜好度を入力するための第２の入力領域１２２、視聴番組に対するユーザの期待（番組を視聴する際に何を求めるか）の種別を示す複数のユーザ欲求項目に対する嗜好度を入力するための第３の入力領域１２３、嗜好度の高い出演者を入力するための第４の入力領域１２４、嗜好度の低い出演者を入力するための第５の入力領域１２５などが設けられている。
【０１５８】
第１の入力領域１２１では、「ドラマ／演劇」という大ジャンル内の小ジャンル「閣内ドラマ」、「民謡・邦楽」、「国内ロック・ポップス」および「ミュージカル」のそれぞれについての嗜好度が設定可能である。現時点での各小ジャンルの嗜好度は、小ジャンルの項目名に対応して表示されるレベルインジケータ画像で表されており、画像が長いほど、嗜好度が高いことを表している。そして、入力装置１３、表示装置１４およびユーザ嗜好入力手段４１によるＧＵＩを利用したユーザの操作により、このレベルインジケータ画像の長さが変更される。レベルインジケータ画像の長さは、所定の最小長さから所定の最大長さまでのいずれかとすることができる。そして、このレベルインジケータ画像の長さに基づいて、各小ジャンルの嗜好度の値が細かく得られる。例えば、ある小ジャンルについてのレベルインジケータ画像の長さが所定の最大長さの７０％である場合には、その小ジャンルの嗜好度は、０．７とされる。したがって、嗜好度の値の範囲が０から１までの場合、全く好きではない項目については、０あるいは０に近い数値が与えられ、かなり好きな項目については、１あるいは１に近い数値が与えられ、まあまあ好きな項目については、０．６あるいは０．７といった数値が与えられる。
【０１５９】
第２の入力領域１２２では、フリーキーワードのそれぞれについての嗜好度が設定可能である。なお、フリーキーワードは、ユーザにより入力されたものが設定される。図１４の例の場合、フリーキーワードとして、「セリエＡ」、「イギリス」および「食べ歩き」が設定され、第１の入力領域１２１と同様にレベルインジケータ画像により各フリーキーワードの嗜好度の値が細かく得られる。
【０１６０】
第３の入力領域１２３では、ユーザ欲求項目「笑いたい」、「感動したい」、「興奮したい」、「学習したい」および「情報しりたい」のそれぞれに対する嗜好度が設定可能である。そして、第１の入力領域１２１と同様にレベルインジケータ画像により、各ユーザ欲求項目の嗜好度の値が細かく得られる。
【０１６１】
第４の入力領域１２４では、ユーザにより入力された複数の出演者の名前が表示される。
【０１６２】
上述のようなフォームに対する嗜好度の入力が完了すると、ユーザ嗜好入力手段４１は、入力フォームにおいて各項目に対して設定された値を、ユーザ嗜好データ２２としてデータ格納装置１１へ格納する。例えば、第１の入力領域１２１によるデータは、嗜好テーブル２２ａとして格納され、第２の入力領域１２２によるデータは、嗜好テーブル２２ｃとして格納される。また、第４の入力領域１２４によるデータは、第４の入力領域１２４での配列順序に基づいて、各出演者に対して所定の嗜好度の値が、自動的に降順に割り当てられた後、嗜好テーブル２２ｂとして格納される。
【０１６３】
例えば、図１４に示す入力値の場合、ユーザ嗜好データ２２において、小ジャンル「国内ドラマ」の嗜好度は、０．２と設定され、フリーキーワード「セリエＡ」の嗜好度は、０．４と設定され、ユーザ欲求項目「学習したい」の嗜好度は、０．７と設定される。
【０１６４】
このようにして設定されたユーザ嗜好データ２２が、各番組データ２４ａとの適合度の計算に使用される。
【０１６５】
以上のように、上記実施の形態４によれば、ユーザ嗜好データ入力手段４１は、ユーザ嗜好データ２２を、所定の値域におけるユーザ入力に応じた値で取得する。また、選択手段４６は、ユーザ嗜好データ２２と番組データ２４ａとの適合度を数値で計算し、その数値の大きい番組を選択する。
【０１６６】
これにより、曖昧さのあるユーザ嗜好の度合いを番組選択に忠実に反映させることができ、よりユーザの嗜好に合った個別の番組表が１列または１行で自動的に表示される。
【０１６７】
実施の形態５．
本発明の実施の形態５に係る番組表表示装置は、実施の形態４に係る番組表表示装置の構成に加え、複数のユーザ欲求項目に対するユーザ入力値を、所定の変換テーブルに基づいて、番組データ２４ａに予め用意されている属性項目に対するユーザ嗜好データ２２へ変換する機能を有するものである。
【０１６８】
実施の形態５に係る番組表表示装置では、複数のユーザ欲求項目に対するユーザ入力値を、番組データ２４ａに予め用意されている属性項目に対するユーザ嗜好データ２２へ変換するための変換テーブルが、データ格納装置１１に格納される。そして、ユーザ嗜好入力手段４１は、その変換テーブルを使用して、ユーザ嗜好についての項目の変換を行う。
【０１６９】
図１５は、実施の形態５において、複数のユーザ欲求項目に対するユーザ入力値を、番組データ２４ａに用意されている属性項目に対するユーザ嗜好データ２２へ変換する処理について説明する図である。図１５（Ａ）は、変換テーブルの一例を示す図である。
【０１７０】
図１５（Ａ）においては、例えば、５つのユーザ欲求項目からジャンル「ドラマ」へ、項目の変換をする場合の変換係数として、ユーザ欲求項目「笑いたい」、「感動したい」、「興奮したい」、「学習したい」および「情報知りたい」について、０．３、０．８、０．３、０および０が、それぞれ設定されている。
【０１７１】
なお、実施の形態５に係る番組表表示装置におけるその他の構成については、実施の形態４のものと同様とすればよいので、その説明を省略する。
【０１７２】
次に、ユーザ嗜好データ２２の登録時の動作について説明する。
【０１７３】
ユーザ嗜好入力手段４１は、実施の形態４のようにして入力フォームへの複数のユーザ欲求項目に対するユーザ入力値を取得する。
【０１７４】
次に、ユーザ嗜好入力手段４１は、図１５（Ｂ）に示すように、ユーザ欲求項目についての嗜好度を、ジャンルについての嗜好度へ変換する。その際、ユーザ嗜好入力手段４１は、データ格納装置１１から変換テーブルを読み込み、各ユーザ欲求項目に対するユーザ入力値に、各ユーザ欲求項目および変換後の項目の両方に対応する係数を乗算して得られた値の、複数のユーザ欲求項目についての総和を計算する。そして、変換後のジャンルごとの嗜好度が、ユーザ嗜好データ２２としてデータ格納装置１１へ格納される。
【０１７５】
例えば、項目「笑いたい」の嗜好度が０．６、項目「感動したい」の嗜好度が０．８、項目「興奮したい」の嗜好度が０．５、項目「学習したい」の嗜好度が０．７、項目「情報しりたい」の嗜好度が０．７であり、変換テーブルが図１５（Ａ）に示すものである場合には、「ドラマ」の嗜好度は、０．９７（＝０．３×０．６＋０．８×０．８＋０．３×０．５＋０×０．７＋０×０．７）とされ、この項目「ドラマ」の嗜好度が、ユーザ嗜好データ２２の一部として保存される。
【０１７６】
なお、変換後のジャンル別の嗜好度データは、直接入力されたジャンル別の嗜好度データ（嗜好度テーブル２２ａ）と別々に格納してもよいし、変換後のジャンル別の嗜好度データと、直接入力されたジャンル別の嗜好度データとの和を計算しジャンル別の嗜好度データ（嗜好度テーブル２２ａ）として格納してもよい。さらに、変換後のジャンル別の嗜好度データと、直接入力されたジャンル別の嗜好度データとを重み付けした上で和を計算しジャンル別の嗜好度データ（嗜好度テーブル２２ａ）として格納してもよい。あるいは、変換後のジャンル別の嗜好度データと直接入力されたジャンル別の嗜好度データとの値の差が大きい場合には、直接入力されたジャンル別の嗜好度データのみを使用したり、変換後のジャンル別の嗜好度データの重み付けを所定の割合だけ小さくしたりしてもよい。
【０１７７】
また、ユーザ欲求項目は、上述した種類および数に限定されない。例えば、ユーザ欲求項目として、「リラックスしたい」、「泣きたい」などを使用してもよい。また、変換後の項目は、番組のジャンルに限定されず、番組データから取得可能な他の項目としてもよい。さらに、変換前の項目は、ユーザ欲求項目に限定されず、番組データに属性情報（メタデータ）として含まれないような、ユーザにとって直感的である定性的な項目（例えば、家族で視聴したい、車内で視聴したいなど）としてもよい。
【０１７８】
以上のように、上記実施の形態５によれば、ユーザ嗜好データ入力手段４１は、複数のユーザ欲求項目に対するユーザ入力値を取得し、所定の変換式に基づいて、複数のユーザ欲求項目に対するユーザ入力値を、番組データに用意されている属性に対するユーザ嗜好データ２２へ変換する。選択手段４６は、変換後のユーザ嗜好データ２２と番組データ２４ａとの適合度の高い番組を選択する。
【０１７９】
これにより、抽象的なユーザの嗜好の度合いを定量評価可能な形態に変換して番組選択に忠実に反映させることができ、よりユーザの嗜好に合った個別の番組表が１列または１行で自動的に表示される。
【０１８０】
実施の形態６．
本発明の実施の形態６に係る番組表表示装置は、上記実施の形態１〜５のいずれかに係る番組表表示装置と同様の構成に加え、ユーザ個別指定データ２３を設定するＧＵＩを有するものである。このＧＵＩは、番組表生成プログラム２１が実行されることにより実現されるユーザ嗜好入力手段４１、入力装置１３および表示装置１４で構成される。
【０１８１】
次に、実施の形態６に係る番組表表示装置によるユーザ個別指定データ２３の取得について説明する。
【０１８２】
まず、ユーザ嗜好入力手段４１は、上述のようにして表示した番組表や従来の番組表からユーザにより選択された番組の詳細情報を表示装置１４に表示させる。
【０１８３】
図１６は、実施の形態６に係る番組表表示装置により表示される番組の詳細情報の一例を示す図である。図１６では、選択された番組の番組データに基づいて、放送時間１４１、放送局１４２、番組タイトル１４３、番組ジャンル１４４、番組詳細情報テキスト１４５、出演者リスト１４６が表示される。さらに、この番組の番組データと当該ユーザのユーザ嗜好データ２２との適合度１５１が計算され表示される。
【０１８４】
これとは別に、同一画面上に、ＧＵＩ上の操作部として機能するボタン画像１６１，１６２が表示される。ボタン画像１６１は、この番組を、よく見る番組として登録するための「よく見る番組へ追加」ボタンの画像であり、ボタン画像１６２は、この番組を、あまり見ない番組として登録するための「あまり見ない番組へ追加」ボタンの画像である。
【０１８５】
ユーザ嗜好入力手段４１は、ある番組についての番組詳細情報を表示させている際に、ＧＵＩに基づき「よく見る番組へ追加」ボタンが押下されると、この番組の番組データを、ユーザ個別指定データ２３におけるよく見る番組リストに登録する。
【０１８６】
一方、その際に、ＧＵＩに基づき「あまり見ない番組へ追加」ボタンが押下されると、ユーザ嗜好入力手段４１は、この番組の番組データを、ユーザ個別指定データ２３におけるあまり見ない番組リストに登録する。
【０１８７】
また、ユーザ嗜好入力手段４１は、所定の操作があると、ユーザ個別指定データ２３におけるよく見る番組リストおよびあまり見ない番組リストを読み出し、これらのリストを表示装置１４に表示させる。これにより、ユーザは、よく見る番組あるいはあまり見ない番組と自己の選択した番組を確認することができる。その際、ユーザ嗜好入力手段４１は、ユーザの選択操作および削除指示操作に基づいて、リスト内から、選択された番組の削除を行うようにしてもよい。図１７は、実施の形態６におけるよく見る番組リストおよびあまり見ない番組リストの表示例を示す図である。
【０１８８】
なお、ユーザ個別指定データ２３におけるよく見る番組リストまたはあまり見ない番組リストに番組データを登録する場合に、その番組を含む連続ドラマ番組などのシリーズ番組のすべての番組データを登録してもよい。その場合、例えば、シリーズ番組であることを示す情報を番組データリスト２４の番組データに予め含めておき、その情報に基づいてシリーズ番組であるか否かを判定するようにすればよい。
【０１８９】
このようにして設定されたユーザ個別指定データ２３は、番組データ５１ａ（２４ａ）とユーザ嗜好データ２２との適合度の計算の際に考慮される。
【０１９０】
例えば、よく見る番組リストに登録されている番組データ５１ａ（２４ａ）とユーザ嗜好データ２２との適合度は、所定の最大値に固定されたり、所定の割合だけ値を増加されたりする。また、あまり見ない番組リストに登録されている番組データ５１ａ（２４ａ）とユーザ嗜好データ２２との適合度は、所定の最小値に固定されたり、所定の割合だけ値を減少されたりする。
【０１９１】
さらに、ユーザ個別指定データ２３におけるよく見る番組リストまたはあまり見ない番組リストに登録されている番組データが、シリーズ番組の１つである場合には、同一シリーズの他のシリーズ番組もその番組データと同様に取り扱うようにしてもよい。
【０１９２】
なお、番組表データ３３の生成などに関するその他の動作については、上述のいずれかの実施の形態と同様にすればよいので、その説明を省略する。
【０１９３】
以上のように、上記実施の形態６によれば、ユーザが個別的に嗜好する番組や個別的に嗜好しない番組を考慮した番組表を表示させることができる。
【０１９４】
なお、上述の各実施の形態は、本発明の好適な例であるが、本発明は、これらに限定されるものではなく、本発明の要旨を逸脱しない範囲において、種々の変形、変更が可能である。
【０１９５】
例えば、上記各実施の形態では、ユーザインタフェースとして、番組表表示装置内の入力装置１３および表示装置１４が使用されているが、ユーザインタフェースは、番組表表示装置に存在しなくてもよく、通信装置１２で通信可能な別の装置の入力装置および表示装置をユーザインタフェースとして使用するようにしてもよい。その場合、番組表表示装置は、その外部装置との間の通信により、入力装置に対するユーザ入力に対応するデータや表示装置に対する表示画像のデータの授受を行う。
【０１９６】
また、上記各実施の形態において、番組候補リスト３１に含まれるある番組データの番組についての再放送番組の番組データは、番組候補リスト３１に含めないようにしてもよい。その場合、番組データリスト２４の番組データから、再放送であるか否かの再放送情報を読み出し、その再放送情報、番組タイトルなどに基づいて、番組候補リスト３１に含めない番組データを選択すればよい。これにより、本放送の番組データと、それと同一内容の再放送の番組データの両方が、同一の番組候補リスト３１に含まれないようになる。
【０１９７】
また、上記各実施の形態における選択手段４６を、番組表データ３３を生成する１つの独立したユーザ個別番組表生成装置としてもよい。
【産業上の利用可能性】
【０１９８】
本発明は、例えば、テレビジョン放送の番組表の表示に適用可能である。
【図面の簡単な説明】
【０１９９】
【図１】図１は、本発明の実施の形態１に係る番組表表示装置のハードウェア構成を示すブロック図である。
【図２】図２は、実施の形態１に係る番組表表示装置において番組表生成プログラムが実行されることにより実現される機能の構成を示すブロック図である。
【図３】図３は、実施の形態１におけるユーザ嗜好データの一例を示す図である。
【図４】図４は、実施の形態１における番組データリストの一例を示す図である。
【図５】図５は、実施の形態１に係る番組表表示装置の動作について説明するフローチャートである。
【図６】図６は、図５のステップＳ１の番組抽出処理の詳細について説明するフローチャートである。
【図７】図７は、実施の形態１における番組表候補リストを示す図である。
【図８】図８は、実施の形態１に係る番組表表示装置により表示される番組表の一例を示す図である。
【図９】図９は、図５のステップＳ２における番組表候補データ生成処理の詳細について説明するフローチャートである。
【図１０】図１０は、実施の形態２に係る番組表表示装置において番組表生成プログラムが実行されることにより実現される機能の構成を示すブロック図である。
【図１１】図１１は、実施の形態２に係る番組表表示装置の動作について説明するフローチャートである。
【図１２】図１２は、実施の形態２に係る番組表表示装置により表示される番組表の一例を示す図である。
【図１３】図１３は、実施の形態３に係る番組表表示装置により表示される番組表の一例を示す図である。
【図１４】図１４は、実施の形態４に係る番組表表示装置により表示される入力フォームの一例を示す図である。
【図１５】図１５は、実施の形態５において、複数のユーザ欲求項目に対するユーザ入力値を、番組データに用意されている属性に対するユーザ嗜好データへ変換する処理について説明する図である。
【図１６】図１６は、実施の形態６に係る番組表表示装置により表示される番組の詳細情報の一例を示す図である。
【図１７】図１７は、実施の形態６におけるよく見る番組リストおよびあまり見ない番組リストの表示例を示す図である。
【符号の説明】
【０２００】
１１  データ格納装置（記憶手段）
２１  番組表生成プログラム（コンピュータ読取可能なプログラム）
２２  ユーザ嗜好データ
２４ａ，５１ａ  番組データ
３３  番組表データ
４１  ユーザ嗜好入力手段（嗜好情報取得手段）
４３  番組抽出手段（抽出手段）
４４  番組表候補生成手段
４５，４５Ａ  番組表候補評価手段（番組表候補評価手段、番組表決定手段）
４６  選択手段
４７，４７Ａ  表示手段
５１  番組表候補データ
６２  サブ番組表データ
【図１】
2005294992.tif 000003
【図２】
2005294992.tif 000004
【図３】
2005294992.tif 000005
【図４】
2005294992.tif 000006
【図５】
2005294992.tif 000007
【図６】
2005294992.tif 000008
【図７】
2005294992.tif 000009
【図８】
2005294992.tif 000010
【図９】
2005294992.tif 000011
【図１０】
2005294992.tif 000012
【図１１】
2005294992.tif 000013
【図１２】
2005294992.tif 000014
【図１３】
2005294992.tif 000015
【図１４】
2005294992.tif 000016
【図１５】
2005294992.tif 000017
【図１６】
2005294992.tif 000018
【図１７】
2005294992.tif 000019